(57)【要約】【課題】本発明は、被覆部の内側に溜まる水を低減することを目的とする。【解決手段】構造部材としての木質梁１０は、芯部１２と、芯部１２を被覆する被覆部としての燃え代層２２とを有している。芯部１２は、長期荷重を支持する木製の荷重支持部１４と、荷重支持部１４の外側に配置された燃え止まり層１６とを有している。燃え代層２２の各側壁部２２Ｓの下端部には、複数の排水口としての複数の排水孔２４が形成されている。これらの排水孔２４は、燃え代層２２の側壁部２２Ｓを厚さ方向に貫通しており、芯部１２と燃え代層２２との境界部Ｔに達している。【選択図】図２
2014118673.tif 000002
【特許請求の範囲】
【請求項１】
芯部と、
前記芯部を被覆すると共に、該芯部との境界部に浸入した水を外部へ排出する排水口が形成された被覆部と、
を備えた構造部材。
【請求項２】
前記構造部材が、水平部材であり、
前記芯部の少なくとも一部が、木材で形成され、
前記被覆部が、前記芯部を少なくとも下側から被覆する、
請求項１に記載の構造部材。
【請求項３】
前記芯部が、木製の荷重支持部と、前記荷重支持部の外側に配置された燃え止まり層と、を有し、
前記被覆部が、前記燃え止まり層の外側に配置された木製の燃え代層である、
請求項１又は請求項２に記載の構造部材。
【発明の詳細な説明】
【技術分野】
【０００１】
本発明は、構造部材に関する。
【背景技術】
【０００２】
木造の支柱の下端部に筒状の柱脚金具を取り付け、当該柱脚金具をコンクリート製の基礎に埋設する柱脚構造が知られている（例えば、特許文献１参照）。
【０００３】
特許文献１に開示された技術では、柱脚金具の下端に下部水抜き孔が形成されており、施工時に柱脚金具内に溜まった雨水が排水可能になっている。
【先行技術文献】
【特許文献】
【０００４】
【特許文献１】特開２００７−９２３１８号公報
【特許文献２】特開平５−８４３６１号公報
【発明の概要】
【発明が解決しようとする課題】
【０００５】
ところで、柱や梁、床、壁等の構造部材を仕上げ材や耐火被覆材等の被覆材で被覆した場合、施工中の雨水等が被覆材の内側に溜まる可能性がある。
【０００６】
本発明は、上記の事実を考慮し、被覆部の内側に溜まる水を低減することを目的とする。
【課題を解決するための手段】
【０００７】
請求項１に記載の構造部材は、芯部と、前記芯部を被覆すると共に、該芯部との境界部に浸入した水を外部へ排出する排水口が形成された被覆部と、を備えている。
【０００８】
請求項１に係る構造部材によれば、芯部と、芯部を被覆する被覆部とを備えている。被覆部には、排水口が形成されている。この排水口から、施工時等に被覆部と芯部との境界部に浸入した水が構造部材の外部へ排出される。したがって、被覆部の内側に溜まる水が低減される。
【０００９】
請求項２に記載の構造部材は、請求項１に記載の構造部材において、前記構造部材が、水平部材であり、前記芯部の少なくとも一部が、木材で形成され、前記被覆部が、前記芯部を少なくとも下側から被覆する。
【００１０】
請求項２に係る構造部材によれば、構造部材が水平部材であり、被覆部が芯部を少なくとも下側から被覆している。この場合、芯部と被覆部との境界部に水が溜まり易くなるが、被覆部には排水口が形成されている。これにより、施工時等に芯部と被覆部との境界部に浸入した水が、排水口から構造部材の外部へ排出される。したがって、被覆部の内側に溜まる水が低減される。
【００１１】
また、被覆部の内側に溜まる水を低減することにより、少なくとも一部が木材で形成された芯部の腐食等が抑制される。また、芯部の腐食等に伴う構造部材の耐力の低下や耐火性能の低下が抑制される。
【００１２】
請求項３に記載の構造部材は、請求項１又は請求項２に記載の構造部材において、前記芯部が、木製の荷重支持部と、前記荷重支持部の外側に配置された燃え止まり層と、を有し、前記被覆部が、前記燃え止まり層の外側に配置された木製の燃え代層である。
【００１３】
請求項３に係る構造部材によれば、火災時には、木製の燃え代層が徐々に燃焼して断熱性を有する炭化層を形成する。これにより、芯部への熱の侵入（熱伝達）が抑制される。さらに、燃え代層の内側に配置された燃え止まり層によって燃え代層の燃焼を停止させることができる。これにより、燃え止まり層の内側に配置された芯部の燃焼が回避または抑制される。したがって、構造部材の耐火性能が向上する。
【００１４】
また、施工時等に燃え止まり層と燃え代層との境界部から浸入した水が、燃え代層に形成された排水口から外部へ排出される。したがって、燃え代層の内側に溜まる水が低減される。
【００１５】
さらに、燃え代層の内側に溜まる水を低減することにより、木製の荷重支持部の腐食等が抑制される。また、荷重支持部の腐食等に伴う構造部材の耐力や耐火性能の低下が抑制される。
【発明の効果】
【００１６】
以上説明したように、本発明に係る構造部材によれば、被覆部の内側に溜まる水を低減することができる。
【図面の簡単な説明】
【００１７】
【図１】（Ａ）は本発明の第１実施形態に係る木質梁を示す側面図であり、（Ｂ）は図１（Ａ）の一部拡大図である。
【図２】図１（Ｂ）の２−２線断面図である。
【図３】図２の拡大断面図である。
【図４】本発明の第１実施形態の変形例に係る木質梁を示す図３に相当する拡大断面図である。
【図５】本発明の第２実施形態に係る木質梁を示す図１（Ｂ）の５−５線断面図である。
【図６】図５の６−６線断面図である。
【図７】図５の７−７線断面図である。
【図８】（Ａ）及び（Ｂ）は、第１実施形態の変形例に係る木質梁を示す図２に相当する断面図である。
【図９】本発明の第１実施形態の変形例に係る木質梁を示す図２に相当する断面図である。
【図１０】本発明の第１実施形態の変形例に係る木質梁を示す図２に相当する断面図である。
【図１１】本発明の第１実施形態の変形例に係る木質床版を示す断面図である。
【発明を実施するための形態】
【００１８】
先ず、第１実施形態について説明する。
【００１９】
図１（Ａ）及び図１（Ｂ）には、第１実施形態に係る構造部材としての木質梁１０が示されている。図１（Ａ）に示されるように、水平部材としての木質梁１０は、一対の木質柱３０の間に架設されている。この木質梁１０の上には、図示しないスラブが構築される。なお、木質梁１０は、跳ね出し梁としても良い。
【００２０】
図２に示されるように、木質梁１０には、耐火構造が適用されている。この木質梁１０は、断面矩形（本実施形態では長手方向を上下方向（梁成方向）とした断面略長方形）に形成されており、芯部１２と、芯部１２を被覆する被覆部としての燃え代層２２とを有している。
【００２１】
芯部１２は、長期荷重を支持する木製の荷重支持部１４と、荷重支持部１４の外側に配置された燃え止まり層１６とを有している。荷重支持部１４は、木質梁１０が負担する長期荷重（全長期荷重）等を支持可能に構成されており、木材を板状や角柱状に加工した複数の木製単材を接着剤等で一体化させた集成材によって断面矩形に形成されている。
【００２２】
荷重支持部１４の外側には、荷重支持部１４を被覆する燃え止まり層１６が配置されている。燃え止まり層１６は、火災時における燃え代層２２の燃焼を停止（自然鎮火）させ、荷重支持部１４の燃焼を抑制する層であり、荷重支持部１４よりも熱容量が大きくなっている。この燃え止まり層１６は、荷重支持部１４の両側面及び下面に沿った断面略Ｃ字形状に形成されており、荷重支持部１４の両側面を被覆する一対の側壁部１６Ｓと、荷重支持部１４の下面を被覆する下壁部１６Ｌとを有している。なお、符号Ｕは、荷重支持部１４と燃え止まり層１６との境界部を示している。
【００２３】
また、燃え止まり層１６は、荷重支持部１４の両側面及び下面に沿って交互に配列された複数のモルタル板（モルタルバー）１８及び木板２０を有している。これらのモルタル板１８及び木板２０は、長手方向を木質梁１０の材軸方向として配置されている。モルタル板１８は木材よりも熱容量が大きく、このモルタル板１８と木板２０とを交互に配置することにより、燃え止まり層１６の熱容量が全体として荷重支持部１４よりも大きくなっている。なお、隣接するモルタル板１８と木板２０とは接触し、又は接着剤等で接着されており、相互に熱を伝達可能になっている。また、モルタル板１８及び木板２０は、荷重支持部１４に接着剤等で接合されている。
【００２４】
燃え止まり層１６の外側（外周）には、燃え止まり層１６を被覆する木製の燃え代層２２が配置されている。燃え代層２２は、火災時に燃焼して炭化層（断熱層）を形成することにより、荷重支持部１４への火災熱の侵入を抑制する層であり、木製単材を接着剤等で一体化させた集成材によって形成されている。この燃え代層２２は、燃え止まり層１６の両側面及び下面に沿った断面略Ｃ字形状に形成されており、燃え止まり層１６（芯部１２）の両側面を被覆する一対の側壁部２２Ｓと、燃え止まり層１６（芯部１２）の下面を被覆する下壁部２２Ｌとを有している。この下壁部２２Ｌは、芯部１２を下側から被覆している。なお、燃え代層２２の厚み（層厚）は、木質梁１０に求められる要求耐火性能（耐火時間）及び燃え代層２２の燃焼速度及び遮熱性能に応じて適宜設定されている。また、燃え代層２２は、燃え止まり層１６に接着剤等で接合されている。
【００２５】
燃え代層２２の各側壁部２２Ｓの下端部には、複数の排水口としての複数の排水孔２４が形成されている。複数の排水孔２４は、木質梁１０の材軸方向に間隔を空けて形成されている（図１（Ｂ）参照）。これらの排水孔２４は、燃え代層２２の側壁部２２Ｓを厚さ方向に貫通しており、芯部１２と燃え代層２２との境界部Ｔに達している。
【００２６】
より具体的には、各排水孔２４は、燃え代層２２の側壁部２２Ｓと燃え止まり層１６の側壁部１６Ｓとの側壁境界部Ｔ１に達すると共に、燃え代層２２の下壁部２２Ｌと燃え止まり層１６の下壁部１６Ｌとの下壁境界部Ｔ２に達している。つまり、各排水孔２４は、側壁境界部Ｔ１と下壁境界部Ｔ２とが交差する交差部に達している。これにより、燃え代層２２の内側に溜まった雨水等が排水孔２４から木質梁１０の外部へ排水されるようになっている。
【００２７】
なお、荷重支持部１４及び燃え代層２２は、木材によって形成されていれば良く、例えば、米松、唐松、檜、杉、あすなろ等の一般の木造建築に用いられる木材（以下、「一般木材」とする）で形成される。また、荷重支持部１４及び燃え代層２２は、集成材に限らず、合板や単一材で形成しても良い。
【００２８】
また、燃え止まり層１６は、火炎及び熱の侵入を抑えて燃え止まり効果を発揮できる層であれば良く、例えば、難燃性を有する層（難燃性層）や熱の吸収が可能な層（吸熱性層）で構成される。
【００２９】
難燃性を有する層としては、木材に難燃薬剤を注入して不燃化処理した難燃薬剤注入層が挙げられる。また、熱の吸収が可能な層は、一般木材よりも熱容量が大きな材料、一般木材よりも断熱性が高い材料、又は一般木材よりも熱慣性が高い材料によって形成しても良いし、これらの材料と一般木材とを組み合わせて形成しても良い。さらに、難燃性を有する層と、熱の吸収が可能な層とを組み合わせて（例えば、難燃性を有する層と、熱の吸収が可能な層とを交互に配置して）燃え止まり層１６を形成しても良い。
【００３０】
また、一般木材よりも熱容量が大きな材料としては、モルタル、石材、ガラス、繊維補強セメント、石膏等の無機質材料、各種の金属材料などが挙げられる。また、一般木材よりも断熱性が高い材料としては、けい酸カルシウム板、ロックウール、グラスウールなどが挙げられる。一般木材よりも熱慣性が高い材料としては、セランガンバツ、ジャラ、ボンゴシ等の木材が挙げられる。
【００３１】
次に、第１実施形態の作用について説明する。
【００３２】
木質梁１０には、耐火構造が適用されている。具体的には、図２に示されるように、木質梁１０の芯部１２は燃え代層２２によって被覆されている。したがって、火災時には、先ず、燃え代層２２が徐々に燃焼して芯部１２（燃え止まり層１６）の周囲に炭化層（断熱層）を形成する。これにより、芯部１２への熱の侵入（熱伝達）が抑制される。また、芯部１２の外周部には、荷重支持部１４よりも熱容量が大きい燃え止まり層１６が配置されており、この燃え止まり層１６によって火災熱が吸収（吸熱）される。これにより、燃え代層２２の燃焼速度（炭化速度）が減速されると共に、燃え止まり層１６の内側に配置された荷重支持部１４の温度上昇が低減される。したがって、荷重支持部１４の燃焼が回避または抑制されるため、火災時に荷重支持部１４に長期荷重を支持させることができる。
【００３３】
さらに、燃え止まり層１６において燃え代層２２の燃焼を停止（自然鎮火）させることができる。したがって、火災終了後も荷重支持部１４に長期荷重を支持させることができる。
【００３４】
ここで、木質梁１０の上に図示しないスラブを構築するまでは、木質梁１０の上面が露出している。そのため、木質梁１０の上面から雨水等が、芯部１２の側面と燃え止まり層１６の側壁部１６Ｓとの側壁境界部Ｕ１や側壁境界部Ｔ１を介して木質梁１０の内部へ浸入し、燃え代層２２の内側に溜まる可能性がある。
【００３５】
これに対して本実施形態では、側壁境界部Ｕ１に浸入した雨水等は、図３に矢印ａで示されるように、当該側壁境界部Ｕ１に沿って下方へ流れ、荷重支持部１４の下面と燃え止まり層１６の下壁部１６Ｌとの下壁境界部Ｕ２に浸入する。下壁境界部Ｕ２に浸入した雨水等は、下壁部１６Ｌを構成するモルタル板１８と木板２０との境界部を通って下壁境界部Ｔ２へ流れ、排水孔２４から木質梁１０の外部へ排水される。
【００３６】
一方、側壁境界部Ｔ１に浸入した雨水等は、矢印ｂで示されるように、当該側壁境界部Ｔ１に沿って下方へ流れ、排水孔２４から木質梁１０の外部へ排水される。この際、側壁境界部Ｕ１と側壁境界部Ｔ１との間では、矢印ｃで示されるように、燃え止まり層１６の側壁部１６Ｓを構成するモルタル板１８と木板２０との境界部を通って雨水等が行き来するが、最終的に排水孔２４から木質梁１０の外部へ排水される。
【００３７】
これにより、燃え止まり層１６及び燃え代層２２の各々の内側に溜まる水が低減される。したがって、木製の荷重支持部１４、燃え止まり層１６の木板２０、及び木製の燃え代層２２の腐食等が抑制される。この結果、これらの荷重支持部１４、木板２０、及び燃え代層２２の腐食等に伴う木質梁１０の耐力の低下や耐火性能の低下が抑制される。
【００３８】
また、燃え代層２２の変色等が抑制されるため、木質梁１０の外観品質が向上する。さらに、排水孔２４を燃え代層２２の側壁部２２Ｓに形成したことにより、雨水等による木質梁１０の下面の汚れ等を抑制することができる。
【００３９】
なお、燃え止まり層１６の側壁部１６Ｓを構成する木板２０には、図４に示されるように、木板２０を上下方向に貫通する通水孔（縦孔）２６を形成しても良い。これにより、モルタル板１８と木板２０との境界部に浸入した雨水等が、矢印ｄで示されるように、通水孔２６を通って側壁境界部Ｕ１，Ｔ１へ流れ易くなる。したがって、燃え代層２２の内側の排水効率が向上する。
【００４０】
また、本実施形態では、燃え代層２２の側壁部２２Ｓの下端部に排水孔２４を形成したが、これに限らない。排水孔２４は、配置は適宜変更可能であり、例えば、側壁部２２Ｓの梁成方向（上下方向）の中間部や上端部に形成しても良いし、燃え代層２２の下壁部２２Ｌに形成しても良い。
【００４１】
また、本実施形態では、下壁境界部Ｔ２が略水平になった例を示したが、例えば、下壁境界部Ｔ２を一方の側壁部２２Ｓから他方の側壁部２２Ｓへ向うに従って下方に位置するように傾斜させ、他方の側壁部２２Ｓ側へ雨水等を流れ易くしても良い。この場合、他方の側壁部２２Ｓの下端部や、下壁部２２Ｌにおける他方の側壁部２２Ｓ側に排水孔を形成することにより、排水効率を高めることができる。また、下壁境界部Ｔ２を木質梁１０の材軸方向の中央部１０Ａ（図１参照）から端部１０Ｂへ向かう従って下方へ位置するように傾斜させ、当該端部１０Ｂ側へ雨水等を流れ易くしても良い。この場合、木質梁１０の端部１０Ｂ側における下壁部２２Ｌ等に排水孔を形成することにより、排水効率を高めることができる。
【００４２】
また、燃え代層２２の側壁部２２Ｓに形成する排水孔２４自体を側壁境界部Ｔ１から木質梁１０の外部へ向うに従って下方に位置するように傾斜させ、雨水等を排水し易くしても良い。
【００４３】
さらに、図１に二点鎖線で示されるように、木質梁１０が自重等によって撓むと、木質梁１０の中央部１０Ａの梁上面に雨水等が溜まり易くなる。したがって、排水孔２４は、木質梁１０の中央部１０Ａに形成することにより、雨水等の排水効率を高めることができる。一方、雨水等を回収する観点からすれば、木質梁１０の端部１０Ｂに排水孔２４を形成しても良い。なお、本実施形態は、竣工後の漏水等に対しても同様の効果を得ることができる。
【００４４】
次に、第２実施形態について説明する。なお、第１実施形態と同様の構成のものについては同符号を付すると共に、適宜省略して説明する。
【００４５】
図５及び図６に示されるように、第２実施形態では、柱としての木質柱３０と接合される木質梁１０の端部１０Ｂに、排水口６０が形成されている。
【００４６】
図５に示されるように、木質柱３０には、耐火構造が適用されている。この木質柱３０は、断面矩形（本実施形態では略正方形）に形成されており、木質梁１０と同様に、芯部３２と、芯部３２を被覆する被覆部としての燃え代層３８とを有している。芯部３２は、長期荷重を支持する木製の荷重支持部３４と、荷重支持部３４の外側に配置された燃え止まり層３６とを有している。荷重支持部３４は、木質柱３０が負担する長期荷重（全長期荷重）等を支持可能に構成されている。
【００４７】
木質柱３０の柱側面３０Ｓには、荷重支持部３４の側面を露出させる収容溝４０が形成されている。この収容溝４０は上下方向に延びる矩形の長溝とされており、この収容溝４０を介して荷重支持部３４に連結ブラケット４２が固定されている。なお、収容溝４０内の側面及び下面には、火災時に荷重支持部３４への熱の侵入を低減するモルタル板４４がそれぞれ貼り合わされている。また、収容溝４０には、ロックウール等の断熱材４１が充填されている。
【００４８】
連結ブラケット４２は平断面視にてＴ字形状に形成されており、荷重支持部３４に固定されるフランジ部４２Ａと、フランジ部４２Ａから外側（木質梁１０側）へ張り出し、木質梁１０の荷重支持部１４に固定される固定プレート部（ガセットプレート）４２Ｂとを有している。フランジ部４２Ａは、木質柱３０の荷重支持部３４の側面に重ねられており、荷重支持部３４を貫通する複数のボルト４６及びナット４８によって荷重支持部３４に固定されている。なお、荷重支持部３４における収容溝４０と反対側の側面には、ナット４８及び支圧板５０が収容される収容溝５２が形成されている。
【００４９】
一方、図６に示されるように、木質梁１０の荷重支持部１４には、固定プレート部４２Ｂを収容する収容溝５４が形成されている。収容溝５４は、木質梁１０の梁上面１０Ｕ及び梁端面１０Ｅ側が開口したスリット状の溝とされている。この収容溝５４には固定プレート部４２Ｂが挿入されており、木質梁１０の梁側面１０Ｓ（図５参照）から固定プレート部４２Ｂを貫通する複数のドリフトピン５６によって荷重支持部１４に固定プレート部４２Ｂが固定されている。なお、荷重支持部１４の端面には、燃え止まり層１６と同じ構成の燃え止まり層１７が設けられている。
【００５０】
また、収容溝５４内の下面５４Ａは、当該収容溝５４内の底面５４Ｂから梁端面１０Ｅへ向うに従って下方に位置するように傾斜する傾斜面とされており、収容溝５４内に浸入した雨水等が梁端面１０Ｅ側へ流れ易くなっている。
【００５１】
ここで、木質柱３０の柱側面３０Ｓと木質梁１０の梁端面１０Ｅとの間には隙間５８が形成されており、この隙間５８によって柱側面３０Ｓと梁端面１０Ｅの下端との間に排水口６０が形成されている。この隙間５８は、梁端面１０Ｅにおける両側の側端部に沿って配置された一対の縦埋木６２Ａ（図５参照）によって塞がれている。また、排水口６０は、梁端面１０Ｅにおける下端部に沿って配置された栓部材としての横埋木６２Ｂによって塞がれている。この横埋木６２Ｂは、隙間５８に着脱可能に嵌め込まれている。なお、一対の縦埋木６２Ａ及び横埋木６２Ｂは、木質梁１０の端部１０Ｂを構成している。
【００５２】
また、図７に示されるように、木質梁１０には、第１実施形態と同様に、燃え代層２２の側壁部２２Ｓに排水孔２４が形成されると共に、燃え止まり層１６の側壁部１６Ｓを構成する木板２０に通水孔２６が形成されている。
【００５３】
次に、第２実施形態の作用について説明する。
【００５４】
図６に示されるように、木質梁１０の端部における荷重支持部１４には、固定プレート部４２Ｂを収容する収容溝５４が形成されている。そのため、雨水等が収容溝５４を介して木質梁１０の内部へ浸入し、燃え代層２２の内側に溜まる可能性がある。
【００５５】
これに対して本実施形態では、収容溝５４に浸入した雨水等は、矢印ｅで示されるように、傾斜した下面５４Ａに沿って梁端面１０Ｅ側へ流れ、隙間５８を通って排水口６０へ導かれる。ここで、排水口６０は横埋木６２Ｂによって塞がれているため、雨水等は排水口６０の周辺に溜まるが、二点鎖線で示されるように排水口６０から横埋木６２Ｂを取り外すことにより、排水口６０から雨水等が木質梁１０の外部へ排水される。したがって、燃え代層２２の内側に溜まる水が低減される。
【００５６】
また、図７に矢印ｆで示されるように、燃え止まり層１６の側壁部１６Ｓの上部を構成するモルタル板１８と木板２０の境界部に沿って梁端面１０Ｅへ流れた雨水等は、隙間５８を通って排水口６０へ導かれる。この際、雨水等は、矢印ｇで示されるように、側壁部１６Ｓの下部を構成する他のモルタル板１８と木板２０の境界部へ浸入する可能性があるが、木板２０には前述した通水孔２６が形成されている。そのため、モルタル板１８と木板２０の境界部に浸入した雨水等は、矢印ｈで示されるように、通水孔２６を通って排水孔２４から木質梁１０の外部へ排水される。したがって、燃え代層２２の各々の内側に溜まる水が低減される。
【００５７】
また、横埋木６２Ｂによって排水口６０を塞ぐことにより、排水口６０から所定のタイミングで雨水等を排水することができる。したがって、雨水等の回収が容易となる。また、木質梁１０の梁下面１０Ｌや木質柱３０の側面の汚れ等を抑制することができる。なお、排水口６０と同様に、排水孔２４も栓部材としての木栓等で適宜塞いでも良い。
【００５８】
次に、上記第１，第２実施形態の変形例について説明する。なお、以下では、第１実施形態を例に各種の変形例について説明するが、これらの変形例は第２実施形態にも適宜適用可能である。
【００５９】
図８（Ａ）に示されるように、例えば、木質梁１０の荷重支持部１４を幅方向に２つの支持ブロック１４Ａ，１４Ｂに分割し、これらの支持ブロック１４Ａ，１４Ｂを接着剤等で接合して荷重支持部１４を形成しても良い。この場合、隣接する支持ブロック１４Ａ，１４Ｂの境界部Ｖから木質梁１０の内部に雨水等が浸入する可能性があるが、燃え代層２２に排水孔２４を形成することにより、燃え代層２２の内側に溜まる雨水等を低減することができる。
【００６０】
また、上記第１実施形態では、モルタル板１８と木板２０とを交互に配置して燃え止まり層１６を構成したが、これに限らない。例えば、図８（Ｂ）に示されるように、荷重支持部１４よりも熱量容量が大きいモルタル板のみで燃え止まり層６４を構成しても良い。この場合、燃え止まり層６４の内側に雨水等が溜まり易くなるため、燃え止まり層６４の側壁部６４Ｓや下壁部６４Ｓに排水孔６６を形成することが望ましい。なお、図８（Ａ）では、燃え止まり層６４の側壁部６４Ｓに排水孔６６が形成されている。
【００６１】
また、上記第１実施形態では、木質梁１０を荷重支持部１４、燃え止まり層１６、及び燃え代層２２の三層構造にしたが、これに限らない。例えば、燃え止まり層１６を省略し、芯部としての荷重支持部１４を被覆部としての燃え代層２２で被覆しても良いし、燃え代層２２を省略し、芯部としての荷重支持部１４を被覆部としての燃え止まり層１６で被覆しても良い。
【００６２】
また、例えば、図９に示されるように、木質梁７０の芯部としての木製梁部材７２の両側面及び下面を被覆部としての耐火ボード７４で被覆しても良い。この場合、耐火ボード７４に排水孔７６を形成すれば良い。なお、ここでいう耐火ボード７４としては、例えば、けい酸カルシウム板、石膏ボード、コンクリートボード、ロックウールボート等のように耐火性を有するボード部材である。また、被覆部は、木製梁部材７２の両側面及び下面を被覆する仕上げ材（仕上げボード）であっても良い。
【００６３】
さらに、図１０に示されるように、木質梁８０は、内部に鉄骨芯材８２が埋設された木質ハイブリット部材で形成しても良い。具体的には、木質梁８０は、芯部としての鉄骨芯材８２と、鉄骨芯材８２を被覆する被覆部としての木製梁部材８４とを有している。鉄骨芯材８２はＨ形鋼で形成されており、上下一対の上フランジ部８２Ａ及び下フランジ部８２Ｂと、上フランジ部８２Ａと下フランジ部８２Ｂとを繋ぐウェブ部８２Ｃとを有している。
【００６４】
木製梁部材８４は集成材で形成されており、鉄骨芯材８２の上フランジ部８２Ａの上面以外の表面を被覆している。この木製梁部材８４が火災時に燃焼して鉄骨芯材８２の周囲に炭化層（断熱層）を形成することにより、鉄骨心材８２の温度上昇が抑制されるようになっている。つまり、木製梁部材８４は、燃え代層と同様の機能を発揮する。
【００６５】
木製梁部材８４の両側の側面８４Ｓには、複数の排水口としての複数の排水孔８６が形成されている。複数の排水孔８６は、木質梁８０の材軸方向に間隔を空けて形成されている。これらの排水孔８６は、鉄骨芯材８２の下フランジ部８２Ｂの下面と、当該下面を下側から被覆する木製梁部材８４との境界部Ｗに達している。これにより、矢印で示されるように、施工時等に木質梁８０の梁上面８０Ｕから鉄骨芯材８２と木製梁部材８４との境界部に沿って境界部Ｗに浸入した雨水等が、排水孔８６から木質梁８０の外部へ排出される。したがって、木製梁部材８４の内側に溜まる雨水等を低減することができる。
【００６６】
また、上記第１実施形態では、水平部材として木質梁１０を例に説明したが、水平部材は床部材であっても良い。具体的には、図１１には、水平部材としての木質床版９０が示されている。
【００６７】
木質床版９０には、耐火構造が適用されている。この木質床版９０は全体として板状に形成されており、芯部９２と、芯部９２を被覆する被覆部としての燃え代層９８とを有している。芯部９２は、長期荷重を支持する木製の荷重支持部９４と、荷重支持部９４の外側に配置された燃え止まり層９６とを有している。
【００６８】
荷重支持部９４は、水平方向に並べられた複数の支持版９４Ａによって形成されている。各支持版９４Ａは、集成材によって形成されている。この荷重支持部９４の上側及び下側には、燃え止まり層９６がそれぞれ配置されている。各燃え止まり層９６は、水平方向に交互に配列された複数のモルタル板１８及び木板２０を有し、荷重支持部９４の上面及び下面をそれぞれ被覆している。
【００６９】
さらに、燃え止まり層９６の上側及び下側には、木製の燃え代層９８がそれぞれ配置されている。各燃え代層９８は、水平方向に並べられた複数の燃え代版９８Ａによって形成されており、燃え止まり層９６（芯部９２）の上面及び下面を被覆している。また、燃え止まり層９６を下側から被覆する燃え代版９８Ａには、排水孔１００が形成されている。なお、各燃え代版９８Ａは、集成材によって形成されている。
【００７０】
ここで、木質床版９０の内部には、矢印で示されるように、木質床版９０の床上面から隣接する燃え代版９８Ａの境界部、隣接するモルタル板１８と木板２０との境界部、隣接する支持版９４Ａの境界部を介して雨水等が浸入し、雨水等が芯部９２と下側の燃え代層９８との境界部Ｘに溜まる可能性がある。
【００７１】
これに対して本変形例では、下側の燃え代層９８を構成する燃え代版９８Ａに排水孔１００が形成されている。この排水孔１００から境界部Ｘに溜まった雨水等が木質床版９０の外部へ排水される。したがって、上記第１実施形態と同様に、境界部Ｘに溜まる雨水等を低減することができる。
【００７２】
なお、本変形例では、芯部９２の上下に被覆部としての燃え代層９８を設けたが、燃え代層９８は少なくとも芯部９２の下側にあれば良い。つまり、被覆部としての燃え代層９８は、少なくとも芯部９２を下側から被覆していれば良い。前述した水平部材としての木質梁１０，７０，８０等についても同様である。例えば、上記第１実施形態に係る木質梁１０では、被覆部としての燃え代層２２が芯部１２を少なくとも下側から被覆していれば良い。
【００７３】
また、構造部材としては、木質梁１０等の水平部材に限らず、柱や壁等の鉛直部材であっても良い。柱としては、例えば、図５に示される木質柱３０が考えられる。この場合、木質柱３０の燃え代層３８に、芯部３２との境界部に達する排水孔を形成すれば良い。また、壁としては、例えば、図１１に示される木質床版９０を９０度回転させた木質壁版が考えられる。なお、柱や壁等の鉛直部材の場合は、雨水等が溜まり易い鉛直部材の下部に排水孔を形成することが望ましい。
【００７４】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００７５】
１０    木質梁（水平部材、構造部材）
１２    芯部
１４    荷重支持部
１６    燃え止まり層
２２    燃え代層（被覆部）
２４    排水孔（排水口）
３０    木質柱（構造部材）
３２    芯部
３４    荷重支持部
３６    燃え止まり層
３８    燃え代層（被覆部）
６０    排水口
６４    燃え代層
６６    排水孔
７０    木質梁（水平部材、構造部材）
７２    木製梁部材（芯部）
７４    耐火ボード（被覆部）
７６    排水孔（排水口）
８０    木質梁（水平部材、構造部材）
８２    鉄骨芯材（芯部）
８４    木製梁部材（被覆部）
８６    排水孔（排水口）
９０    木質床版（水平部材、構造部材）
９２    芯部
９６    燃え止まり層
９８    燃え代層（被覆部）
１００  排水孔（排水口）
Ｔ      境界部（芯部と被覆部との境界部）
Ｖ      境界部（芯部と被覆部との境界部）
Ｗ      境界部（芯部と被覆部との境界部）
Ｘ      境界部（芯部と被覆部との境界部）
【図１】
2014118673.tif 000003
【図２】
2014118673.tif 000004
【図３】
2014118673.tif 000005
【図４】
2014118673.tif 000006
【図６】
2014118673.tif 000007
【図７】
2014118673.tif 000008
【図８】
2014118673.tif 000009
【図９】
2014118673.tif 000010
【図１０】
2014118673.tif 000011
【図１１】
2014118673.tif 000012
【図５】
2014118673.tif 000013